(57)【要約】    【課題】  手を軽く握ることができ、各種作業を円滑に行えるようにした革製手袋を提供する。    【解決手段】  各種作業に適した手袋であって、手袋の全体は革を用いて製作する。手袋の甲側の部分には手の五指(31,32,33,34,35)のうちの少なくとも一指の第一関節、第二関節(PIP)及び第三関節(MCP)の少なくとも１つの関節の部分が当たる部位に関節の曲げ伸ばしの動きを阻害しないように窓(17)を形成する。窓は伸縮性を有する布(18)で封鎖するのが好ましい。【選択図】  図１
2005082897.tif 000002
【特許請求の範囲】
【請求項１】
各種作業に適した手袋であって、全体が革を用いて製作され、その甲側の部分には手の五指のうちの少なくとも一指の第一関節、第二関節及び第三関節の少なくとも１つの関節の部分が当たる部位に関節の曲げ伸ばしの動きを阻害しないように窓が形成されていることを特徴とする手袋。
【請求項２】
手の親指を除く四指の第三関節の部分が当たる部位に１つの窓が手の幅方向に延びて形成されている請求項１記載の手袋。
【請求項３】
上記窓は伸縮性を有する布又はシートで封鎖されている請求項２記載の手袋。
【請求項４】
五指挿入部分の指先にはその掌側に補強革が重ねられ縫合されている請求項１ないし３のいずれかに記載の手袋。
【請求項５】
掌側部分の裏面には手の四指の指間球の当たる部位にシート状のクッション材が固着されている請求項１ないし４のいずれかに記載の手袋。
【発明の詳細な説明】
【技術分野】
【０００１】
この発明は手袋に関し、特に手を軽く握ることができ、各種作業を円滑に行えるようにした手袋に関する。
【背景技術】
【０００２】
例えば、工場等で各種の作業を行う場合、作業者が手に作業用手袋を着用して手の怪我を防止しようするのが一般的である。
【０００３】
従来、この種の作業用手袋にはいわゆる軍手が利用されていた。軍手は所定の番手の糸を編成して製作されているので、ハンマーの柄等を軽く握ることができるものの、釘、鋭角な金属片や金具等が軍手の編み目を通って指に突き刺さり怪我をするおそれがある。
【０００４】
これに対し、釘等が通り難い革を用いて製作され、手指が傷つくのを防止するようにした革製の作業用手袋が種々提案されている（特許文献１、特許文献２、等参照）。
【特許文献１】特開平６−１５８４０６号公報
【特許文献２】特開２００２−２８５４１３号公報
【発明の開示】
【発明が解決しようとする課題】
【０００５】
しかし、従来の革製の手袋では比較的柔らかい革を用いて製作しているものの、全体を革で袋状に製作しているので、手を握ろうとしたときに手袋の甲側部分がつっぱってしまい、細かな作業をスムーズに行ない難いという問題があった。
【０００６】
本発明はかかる問題点に鑑み、手を軽く握ることができ、各種作業を円滑に行えるようにした手袋を提供することを課題とする。
【課題を解決するための手段】
【０００７】
そこで、本発明に係る手袋は、各種作業に適した手袋であって、全体が革を用いて製作され、その甲側の部分には手の五指のうちの少なくとも一指の第一関節、第二関節及び第三関節の少なくとも１つの関節の部分が当たる部位に関節の曲げ伸ばしの動きを阻害しないように窓が形成されていることを特徴とする。
【０００８】
本発明の特徴の１つは手袋を着用したときに手の指の第一、第二、第三の関節の部分が当たる手袋の甲側の部分に窓をあけ、手袋の革によって手指の関節の曲げ伸ばしが阻害されないようにした点にある。これにより、革製手袋を着用していても、手を軽く握ることができるので、細かな作業も円滑に行うことができる。
【０００９】
手袋の窓は五指のうちの少なくとも一指の、第一、第二、第三のうちの少なくとも１つの関節に対応する部位に設ければよいが、手を握るときに手袋の革がつっぱるのは親指を除く四指の第三関節の部位である。そこで、手の親指を除く四指の第三関節の部分が当たる部位に４つの窓又は手の幅方向に延びる１つの窓を形成するのがよい。
【００１０】
手袋の窓は開放したままでもよいが、窓から露出した手の皮膚が擦れたりすると怪我をするおそれがある。そこで、窓は伸縮性を有する布又はシートで封鎖するのがよい。この布は伸縮性を有するものであればよく、合成樹脂製織布（例えば、ポリエチレン製織布やポリプロピレン製織布等）を用いることができる。また、シートには合成樹脂製のシートを用いることができる。
【００１１】
また、本発明では手袋を着用して細かな作業ができるので、指先部分の革が傷みやすい。そこで、五指挿入部分の指先にはその掌側に補強革を重ねて縫合するようにするのが望ましい。
【００１２】
さらに、手袋を着用して細かな作業ができる結果、ハンマーの柄を握って打撃する等の作業を頻繁に行ないやすいので、手の掌に衝撃を受けやすい。そこで、掌側部分の裏面には手の四指の指間球の当たる部位にシート状のクッション材を固着するようにするのが好ましい。
【００１３】
手袋の素材である革は合成革でも天然革でもよい。天然革の場合その素材は特に限定されず、牛、馬、羊、その他の動物の革を用いることができる。
【発明を実施するための最良の形態】
【００１４】
以下、本発明を図面に示す具体例に基づいて詳細に説明する。図１ないし図３は本発明に係る手袋の好ましい実施形態を示す。図において、手袋１０は手首側の開口から手のひら３０が挿入されて収容される本体部１１、及び親指３２、人指し指３３、中指３４、薬指３５及び小指３５の五指が挿入される指挿入部１２から構成され、その全体は天然革を用いて製作されている。
【００１５】
本体部１１の手首側の部位には開口縁から切り込み１３が入れられ、切り込み１３の一側方には締付フラップ１４が設けられ、該締付フラップ１４の裏面及び切り込み１３の他側方の締付縁部１５には相互に締着可能な雌雄の面ファスナー１６が縫合され、締付フラップ１４を切り込み１３の他側方の締付縁部１５に締着させることによって本体部１１をこれに手のひらを挿入し収容した状態に保持できるようになっている。
【００１６】
また、本体部１１の甲側の部分の締付縁部１５の近くには弾性糸、例えばゴム糸を用いて絞り１７が手の幅方向に延びて設けられ、本体部１１の手首側の部分で手のひらの手首側の部分を適度に締め付けるようになっている。
【００１７】
さらに、本体部１１の甲側の部分の親指を除く四指の第三関節の部分が当たる部位には１つの窓１７が手の幅方向に延びて形成され、該窓１７は裏面側から伸縮性を有する合成樹脂製織布１８が当てられて周縁を縫合されることによって封鎖されている。この合成樹脂製織布１８には例えばポリエチレン製織布を用いることがてきる。
【００１８】
他方、本体部１１の掌側の部分の裏面には四指３２〜３５の指間球３６の当たる部位にシート状のクッション材２０が当てられて縫合されることにより固着されている。
【００１９】
また、五本の指挿入部１２の先端には掌側に補強革２１が当てられ縫合されることによって固着されている。
【００２０】
本例の手袋を製作する場合、原料の革シートから手袋のパーツを打ち抜き、それらのパーツを縫合し、絞り１７を入れ、面ファスナー１６を縫合して手袋を製作するが、この製作工程は通常の手袋の工程と同じであるので、その詳細な説明は省略する。
【００２１】
そして、上述の手袋のパーツを相互に縫合する前に、手袋の甲側パーツには本体部１１に相当する部位に窓１７を手袋のパーツの打ち抜き時に同時に又はパーツを打ち抜いた後に打ち抜き、その窓１７に裏面側から合成樹脂製織布１８を重ね周囲を縫合して窓１７を封鎖する。
【００２２】
また、手袋のパーツを打ち抜いた後、掌側のパーツの四指の指間球に対応する部位にシート状のクッション材、例えばスポンジシート２０を重ねて縫合する。
【００２３】
さらに、手袋のパーツを縫合する際に、甲側のパーツの指先に相当する部位に補強革１９を重ねて同時に縫合する。
【００２４】
本例の手袋を手に着用し、図３に示されるように手を握ると、手袋の四指の第三関節ＭＣＰの部分に対応する部位に窓１７が設けられているので、手袋の革がつっぱって第三関節ＭＣＰの曲がりが阻害されることはほとんどなく、手袋を着用していても手を軽く握ることができ、細かな作業もスムーズに行うことができる。なお、図４において、ＰＩＰは第二関節を示す。
【００２５】
従って、本例では手の円滑な動きを阻害することがなく、しかも手指の怪我を防止できる手袋が得られることとなる。
【図面の簡単な説明】
【００２６】
【図１】本発明に係る手袋の好ましい実施形態を掌側から見た図である。
【図２】上記実施形態の手袋を甲側から見た図である。
【図３】上記実施形態の手袋を着用した状態を示す概略斜視図である。
【図４】人間の手指の関節を示す図である。
【図５】人間の手を示す図である。
【符号の説明】
【００２７】
１０      手袋
１１      本体部
１２      指挿入部
１７      窓
１８      合成樹脂製織布
１９      補強布
２０      クッション材
【図１】
2005082897.tif 000003
【図２】
2005082897.tif 000004
【図３】
2005082897.tif 000005
【図４】
2005082897.tif 000006
【図５】
2005082897.tif 000007